(57)【要約】【課題】  画像データを外部に送信するための通信カードをカードインターフェースに接続し、この通信カードの種別と、カードに登録されている個別情報データとの対応情報を保持し、この対応情報を表示する機能を有する画像処理装置、画像処理装置の制御方法およびこれを記録した記録媒体を提供する。【解決手段】  撮影光学系２およびＣＣＤなどの光電変換素子３を含む画像撮影部Ｂと、電気信号に変換された画像信号を処理する信号処理部Ｃと、処理された画像データを記憶媒体１６に記憶する記録手段１５を有する画像処理装置Ａにおいて、主として画像データを外部に送信するためにカードインターフェース１２を介して接続する通信カード３１を有し、前記通信カード３１の種別と、この通信カードに登録されている個別情報データとの対応情報を保持し、この対応情報を表示する機能を有する制御装置２を備える。【選択図】        図１
2005341421.tif 000002
【特許請求の範囲】
【請求項１】
撮影光学系およびＣＣＤなどの光電変換素子を含む画像撮影部と、電気信号に変換された画像信号を処理する信号処理部と、処理された画像データを記憶媒体に記憶する記録手段とを有する画像処理装置において、主として画像データを外部に送信するためにカードインターフェースを介して接続する通信カードを有し、前記通信カードの種別と、該通信カードに登録されている個別情報データとの対応情報を保持し、該対応情報を表示する表示手段を有する制御装置を備えることを特徴とする画像処理装置。
【請求項２】
前記対応情報に前記通信カードの種別を複数登録することを特徴とする請求項１記載の画像処理装置。
【請求項３】
前記制御装置が前記対応情報を使用者が設定する設定手段を有することを特徴とする請求項１記載の画像処理装置。
【請求項４】
撮影光学系およびＣＣＤなどの光電変換素子を含む画像撮影部と、電気信号に変換された画像信号を処理する信号処理部と、処理された画像データを記憶媒体に記憶する記録手段とを有する画像処理装置の制御方法において、主として画像データを外部に送信するためにカードインターフェースを介して通信カードを接続し、前記通信カードの種別と、該通信カードに登録されている個別情報データとの対応情報を保持し、該対応情報を表示することを特徴とする画像処理装置の制御方法。
【請求項５】
前記対応情報に前記通信カードの種別を複数登録することを特徴とする請求項４記載の画像処理装置。
【請求項６】
前記対応情報を使用者が設定する機能を有することを特徴とする請求項４記載の画像処理装置の制御方法。
【請求項７】
請求項４ないし６記載の画像処理装置の制御方法を記録していることを特徴とする記録媒体。
【発明の詳細な説明】
【技術分野】
【０００１】
本発明は、通信カードの種別判定機能を有するデジタルカメラ等の画像処理装置、その制御方法および記録媒体に関するものである。
【背景技術】
【０００２】
カードインターフェースに接続された通信手段、すなわち通信カードを用いて外部との通信を行う機能を実現するために、デジタルカメラ本体側にて種々のカードについての情報を保持したカードデータベースを設け、接続されている通信カードに適したドライバの起動を行う方式は提案されている（例えば特許文献１ないし３参照）。
特許文献１ないし３では、カード上の属性情報の判定を行うデジタル電子スチル・カメラ、メモリカードと通信カードの区別までしか行わない装置、カードシステムおよびカメラが開示されているが、属性情報だけで判定のつかなかった場合の措置、判定方法については触れていない。
図９は従来の方式によるカードデータベースの構成を示す図である。図９においては、製造者ＩＤ、製造者名、製品名、カード種別およびその他の属性を表として示している。
【特許文献１】特願２００３−２８８５１９
【特許文献２】特開平０８−０９８１２４号公報
【特許文献３】特開平１１−１６８６５０号公報
【発明の開示】
【発明が解決しようとする課題】
【０００３】
上述したような従来の特許文献のカード種別判別方法では、カード種別をカード固有情報から判別していたが、複数の機能を有するカードの対応が困難であった。
しかしながら、現在登録されている対応情報を使用者が確認できるようにすること、１種類のカードに対して複数の対応情報を利用できるようにすること、１種類のカードに対して対応情報を使用者が設定できるようにすること等の課題の解決が望まれている。
本発明の目的は、上述した実情を考慮して、画像データを外部に送信するための通信カードをカードインターフェースに接続し、この通信カードの種別と、カードに登録されている個別情報データとの対応情報を保持し、この対応情報を表示する機能を有する画像処理装置、画像処理装置の制御方法およびこれを記録した記録媒体を提供することにある。
【課題を解決するための手段】
【０００４】
上記の課題を解決するために、請求項１に記載の発明は、撮影光学系およびＣＣＤなどの光電変換素子を含む画像撮影部と、電気信号に変換された画像信号を処理する信号処理部と、処理された画像データを記憶媒体に記憶する記録手段を有する画像処理装置において、主として画像データを外部に送信するためにカードインターフェースを介して接続する通信カードを有し、前記通信カードの種別と、この通信カードに登録されている個別情報データとの対応情報を保持し、この対応情報を表示する表示手段を有する制御装置を備える画像処理装置を特徴とする。
また、請求項２に記載の発明は、前記対応情報に前記通信カードの種別を複数登録する請求項１記載の画像処理装置を特徴とする。
また、請求項３に記載の発明は、前記制御装置が前記対応情報を使用者が設定する設定手段を有する請求項１記載の画像処理装置を特徴とする。
また、請求項４に記載の発明は、撮影光学系およびＣＣＤなどの光電変換素子を含む画像撮影部と、電気信号に変換された画像信号を処理する信号処理部と、処理された画像データを記憶媒体に記憶する記録手段とを有する画像処理装置の制御方法において、主として画像データを外部に送信するためにカードインターフェースを介して通信カードを接続し、前記通信カードの種別と、この通信カードに登録されている個別情報データとの対応情報を保持し、この対応情報を表示する機能を有する画像処理装置の制御方法を特徴とする。
また、請求項５に記載の発明は、前記対応情報に前記通信カードの種別を複数登録する請求項４記載の画像処理装置を特徴とする。
また、請求項６に記載の発明は、前記対応情報を使用者が設定する機能を有する請求項４記載の画像処理装置の制御方法を特徴とする。
また、請求項７に記載の発明は、請求項４ないし６記載の画像処理装置の制御方法を記録している記録媒体を特徴とする。
【発明の効果】
【０００５】
本発明によれば、カードＤＢの内容を表示する機能を有するため、現在割り当てら割れている機能を確認することができる。
本発明によれば、また、複数の対応情報をカードＤＢに有することができるため、必要に応じて機能を割り当てることができる。
【発明を実施するための最良の形態】
【０００６】
以下、図面を参照して、本発明の実施の形態を詳細に説明する。図１は標準的な画像処理装置としてデジタルカメラの構成を示すブロック回路図である。図１において、デジタルカメラＡは画像撮影部Ｂおよび処理システム部Ｃから構成されている。
画像撮影部Ｂにおいては、マイクロコンピュータ１からの指示にしたがって撮影レンズ系２を動作させ、ＣＣＤなどのイメージャ（光電変換部）３から得られた画像信号をＡ／Ｄ変換部４にてデジタルデータに変換し、処理システム部Ｃに渡す。
画像撮影部Ｂには、撮影レンズ系２の機構部のモータドライバ５、ストロボ６、光電変換部３およびＡ／Ｄ変換部４へのタイミング信号を発生するタイミング信号発生器７が設けてある。
処理システム部Ｃにおいては、光電変換部３によって得られた画像データから、デジタル信号処理回路８、ＤＭＡＣ９、画像圧縮伸長回路１０および画素数変換（リサイズ）回路１１等によって、必要に応じてＲＧＢもしくはＹＵＶ形式の画像データの生成、画像データのリサイズ、画像の圧縮等の処理を行い、記録用の画像データを生成する。
ここで、画像の圧縮方法については、可逆あるいは非可逆のいずれの方法を用いても良いが、圧縮の必要がなければ圧縮していない画像データを記録してもよい。記録用の画像データは、メモリカードなどの記録媒体に記録するのが一般的である。
さらに、記録用の画像データまたはいったん記録媒体に記録された画像データは、通信インターフェースもしくはカードインターフェースに接続された通信手段を介して外部装置に送信してもよい。
【０００７】
特許文献１および本実施の形態においては、図１のカードインターフェース１２を設け、各種の通信カードによる多様な通信手段を提供する。具体的には、ＰＣＭＣＩＡ或いはコンパクトフラッシュ（登録商標）（ＣＦＡ規格）またはＳＤＩＯ規格に準拠したカードインターフェースを備える。
ここにこれら規格に準拠したモデムカード、カード型ＰＨＳ、有線ネットワークカード、無線ＬＡＮカード、汎用シリアルカード、ブルートゥース（Bluetooth）カード等を装着し、これらカードを介して外部と通信する通信手段を提供する。
カードインターフェース１２の１つであるＣＦＡ規格に準拠したカードの中には、ＧＰＳやバーコードスキャナなど通信目的でないものも存在する。これらに対応するためには、デジタルカメラ本体側で実行される適切な制御ソフトウエアを用意することにより、それぞれのカード固有の機能を利用することが可能となる。
処理システム部Ｃには、また、ビデオエンコーダ１３、表示装置１４、記憶媒体制御回路１５、メモリカード等のデータ記憶メモリ１６、カードインターフェース１２を制御するカードインターフェース制御回路１７が設けられる。
さらに、通信インターフェース１８を制御する通信制御回路１９、メインメモリ２０を制御するメモリ制御回路２１、マイクロコンピュータ１に接続されるカメラ操作部２２、ＥＥＰＲＯＭ２３、システムバス２４が設けられる。
【０００８】
図２は本発明による画像処理装置におけるソフトウエアの構成を示す概略図である。図２において、全体制御部（マイクロコンピュータ）１にはＰＨＳドライバ、モデムドライバ２６、有線ＬＡＮドライバ２７、無線ＬＡＮドライバ２８が接続される。
これらのドライバ２５、２６、２７、２８はプレ通信ドライバ２９と接続され、このプレ通信ドライバ２９は一方でカードデータベース３２と接続され、かつ他方で通信カード３１と接続される。
図３は本発明の実施の形態によるカードデータベースの構成を示す図である。図４は図３のカードデータベースの内容の表示および設定例を表として説明する図である。
このように、多様な通信手段を有する複数種類のカードに対応しようとする場合、挿入されているカードの種類を判定する手段が必要となる。たとえば、ＰＣＭＣＩＡカードの場合、タプル（１件分のデータ）と呼ばれるカード属性情報を読み出すことにより、カードの種別を特定することが可能である。
カードの種別判定については、大部分の場合、タプルデータの論理的な解析により行うことが可能であるが、一部のカードについては論理的な情報が不足しているものがあり、タプル上の製造者名・製品名などのテキスト情報からカードの種別を特定する必要がある場合がある。
図５はモデムユニットを説明する概略図である。例えば、モデムカードの場合に、かかるモデムカード３２は、通常、図５に示すように、システム側からみたインターフェース３３はシリアルポートであり、その先にモデムユニット３５が接続され、これらが一体となって１枚のカードの形態に納まっている。
カードタプルのファンクションＩＤは、ホストからみた最初のインターフェースを主として記述するものであるため、これらモデム系カードのファンクションＩＤはシリアルポートである。
【０００９】
図６はシリアルインターフェースカードの構成を説明する概略図である。図６は単機能のシリアルインターフェースカードである。上述したように、モデム系カードのファンクションＩＤはシリアルポートであるため、この単機能のシリアルインターフェースカードとの区別がつかない。
そこで、ＰＣＭＣＩＡの規格ではモデムの機能を記述するための「ファンクション拡張タプル」が用意されており、この中でそのモデムがサポートしている変復調の種類などを記述することができる。
しかしながら、このタプルの実装は規格上「任意」の扱いのため、モデムカードであるからといって必ず存在すると限るものではなく、ファンクション拡張タプルがないために、単なるシリアルインターフェースカードと区別の付かない例がある。
図７はカード型ＰＨＳの構成を示す概略図である。似たような例として、カード型ＰＨＳがある。単なるシリアルインターフェースカードと区別の付かない例はカード型ＰＨＳである。
これは、図７に示すように、シリアルポートとＰＨＳ電話機とが一体になったものである。しかし、ホスト側からはやはりシリアルポートとして認識されるため、シリアルインターフェースカードと区別がつかなくなる事情はモデムカードの場合と同様である。
他にも、ＧＰＳカードなどは、タプルデータとして一般的にＧＰＳカードであることを示すタグが用意されていないため、タプル情報の論理的な解析のみでは、汎用シリアルカードと区別がつかないなどの状況がある。
このようなカードへの対応のため、図４に示すような、カードデータベース（カードＤＢ）を設け、カード種別判定を行う。カードデータベースでは、論理的な解析のみでは種別解決がつかない特定のカードに対して、そのカードの種別を特定させ、さらに、通信ドライバが必要とする幾つかのパラメータを保持し、通信ドライバに提供する。
【００１０】
図８は本発明による処理の流れを示すフローチャートである。カードＤＢを用いたシステムの起動方法について、以下に説明する。図８では、システムの電源投入時およびカードの挿入が行われたときなど、カードの種別判定を行う必要のある場合の処理を示している。
なお、図８では、各ステップにおいて判断された結果に基づいて処理が行われたパスを実線の矢印で、処理が行われなかったパスを点線の矢印で、それぞれ示している。
処理開始（Ｓ１）後、プレ通信ドライバ２９がカードのタプル情報を全て読み込み（Ｓ２）、そこに記された論理的な情報からカード種別の特定を試みる。このステップでは、まずファンクションＩＤにしたがったカテゴリー分け（Ｓ３）を行い、通信カードをシリアルポートとネットワークカードの２種類に大別する。
ここではシリアルポートが検出された例を示している。ネットワークカードの場合には、有線ＬＡＮカードか無線ＬＡＮカードかの区別を、ファンクション拡張タプルを参照して行う（Ｓ４）。
シリアルポートの場合には、ファンクション拡張タプルとしてモデム変復調のタプルが存在すれば、ＰＨＳを含むモデム系カードであると判断し（Ｓ５）、存在しなければ、シリアルインターフェースカードとして扱う。ここではシリアルインターフェースカードとして認識された例を示している。
ところが、上述のように、モデムカードの中にはファンクション拡張タプルが存在しないものがあるため、本実施の形態のようにシリアルインターフェースとして判断されたカードの中には、実際にはモデムカードであるものも混在している。
そこで、カードＤＢに、当該カードがカードＤＢに登録されているかどうかの問い合わせを行い、登録されていれば、装着されているカードはカードＤＢ上のカード種別をもつものとして扱い、登録されていなければ、論理的に解析した結果得られたカード種別を有するものとして扱う（Ｓ６）。
ここでは、カードＤＢへ問い合わせた結果、カード種別がモデムであることが登録されており、最終的にモデムドライバ２６が起動された例を示している。
このようにして得られたカード種別にしたがい、必要な通信ドライバを起動し、通信動作を行う。
【００１１】
以上がカードＤＢを用いたカード種別判定方法、およびカードドライバの起動方法の概要である。しかしながら、上記構成においては、シリアルインターフェースカードのように、カードを介して他の機器を接続して使うカードの場合、外部にはモデム、ＰＨＳ、ＧＰＳユニット、バーコードスキャナなどの接続可能なシリアルＩ／Ｆを有する複数の機器が必要に応じて接続されることが考えられる。
しかしながら、従来のカードＤＢ方式においてはシリアルＩ／Ｆカードなるハードウェアに対応する機能として「ＧＰＳ」「モデム」「ＰＨＳ」などのうちからいずれか一種類を登録しておく必要があるため、カードＤＢ構築時点で外部に接続する機器の種類を限定する必要があった。
そこで、本発明においては、図３に示すようにカードＤＢ上で同一カードに対して複数の対応情報を持たせるものとする。表示機能については表示例を図４に示している。
図４では、カードＤＢの内容を表示装置に表示できるようにし、現在該当するカードに割り当てられている機能の確認ができるようにする。また、図４では、ＰＲＯＤＵＣＴ２にＧＰＳおよびモデムの２種類の機能が存在することを示している。
ＰＲＯＤＵＣＴ２の機能としてはＧＰＳの有効フラグが１となっており、当該カードの機能としてＧＰＳ機能が使用されることを意味している。画面上ではモデムにフォーカスがあたっているが、ここで例えばＯＫボタンを操作することにより、割り当て機能を「モデム」に設定することが可能となる。
また図３に示すように、カードＤＢ上に複数の対応情報を保持し、これらのうちから使用するものを必要に応じて選択する。さらに、対応情報を使用者が設定する場合には、図４の画面上で、カードＤＢ上に対応情報自体を使用者が設定可能とする。
操作方法としては、例えばフォーカスの当たった状態で、ＯＫボタンを操作すると、設定可能な割り当ての一覧が表示してその中から使用したい機能を割り当てるなどが考えられる。
以上のようにして、カードの割り当て機能を使用者が設定変更できるようにし、同一のカードに対して複数の機器を接続可能とする。また、カードＤＢ上の内容を変更することができるため、必要に応じて機能を割り当てることができる。
【図面の簡単な説明】
【００１２】
【図１】標準的な画像処理装置としてデジタルカメラの構成を示すブロック回路図。
【図２】本発明による画像処理装置におけるソフトウエアの構成を示す概略図。
【図３】本発明の実施の形態によるカードデータベースの構成を示す図。
【図４】図３のカードデータベースの内容の表示および設定例を表として説明する図。
【図５】モデムユニットを説明する概略図。
【図６】シリアルインターフェースカードの構成を説明する概略図。
【図７】カード型ＰＨＳの構成を示す概略図。
【図８】本発明による処理の流れを示すフローチャート。
【図９】従来の方式によるカードデータベースの構成を示す図。
【符号の説明】
【００１３】
Ａ  画像処理装置（デジタルカメラ）
Ｂ  画像撮影部
Ｃ  信号処理部（処理システム部）
１  制御装置（マイクロコンピュータ、全体制御部）
２  撮影光学系
３  ＣＣＤ（光電変換素子）
１２  カードインターフェース
１４  表示装置
１５  記録手段（記憶媒体制御回路）
１６  記憶媒体（データ記憶メモリ、メモリカード）
３１  通信カード
３２  モデムカード
３７  シリアルインターフェースカード
３９  カード型ＰＨＳ
【図１】
2005341421.tif 000003
【図２】
2005341421.tif 000004
【図３】
2005341421.tif 000005
【図４】
2005341421.tif 000006
【図５】
2005341421.tif 000007
【図６】
2005341421.tif 000008
【図７】
2005341421.tif 000009
【図８】
2005341421.tif 000010
【図９】
2005341421.tif 000011